【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
トンネル創または瘻孔を治療するための減圧トンネル創ドレッシングにおいて、
独立気泡発泡体から形成されかつ第１閾値より大きい減圧下で膨張するように動作可能な長手方向コア部材と、
マニホールド材料から形成された第１長手方向同心部材であって、前記長手方向コア部材の周囲に同心状に配置され、前記第１閾値より大きい減圧下で圧縮されるように動作可能な第１長手方向同心部材と、
を具備することを特徴とする減圧トンネル創ドレッシング。
【請求項２】
請求項１に記載の減圧トンネル創ドレッシングにおいて、複数の穴を有する非粘着性材料から形成された第２長手方向同心部材をさらに具備し、前記第２長手方向同心部材が、前記第１長手方向同心部材の周囲に同心状に配置され、かつさらに前記第１長手方向同心部材の遠位端を覆っていることを特徴とする減圧トンネル創ドレッシング。
【請求項３】
請求項１または２に記載の減圧トンネル創ドレッシングにおいて、前記マニホールド材料が連続気泡発泡体を含むことを特徴とする減圧トンネル創ドレッシング。
【請求項４】
請求項１、２または３に記載の減圧トンネル創ドレッシングにおいて、前記第２長手方向同心部材が小面のある部材を含むことを特徴とする減圧トンネル創ドレッシング。
【請求項５】
請求項１に記載の減圧トンネル創ドレッシングにおいて、前記減圧トンネル創ドレッシングが、その長さの少なくとも一部に横断面を有し、前記長手方向コア部材が、前記横断面面積の４０％から９５％の間を構成し、前記第１長手方向同心部材が、前記横断面面積の５％と６０％との間を構成していることを特徴とする減圧トンネル創ドレッシング。
【請求項６】
請求項１または１乃至５の何れか一項に記載の減圧トンネル創ドレッシングにおいて、前記減圧トンネル創ドレッシングが初期径Ｄ１から第２径Ｄ２になるように、減圧下で膨張するように動作可能であり、Ｄ２が１０１％Ｄ１以上であることを特徴とする減圧トンネル創ドレッシング。
【請求項７】
請求項１または１乃至６の何れか一項に記載の減圧トンネル創ドレッシングにおいて、前記減圧トンネル創ドレッシングが初期径Ｄ１から第２径Ｄ２になるように、減圧下で膨張するように動作可能であり、Ｄ２が１０５％Ｄ１以上であることを特徴とする減圧トンネル創ドレッシング。
【請求項８】
請求項１または１乃至７の何れか一項に記載の減圧トンネル創ドレッシングにおいて、前記減圧トンネル創ドレッシングに追加の剛性を提供する半剛性内部コア部材をさらに具備することを特徴とする減圧トンネル創ドレッシング。
【請求項９】
請求項１または１乃至８の何れか一項に記載の減圧トンネル創ドレッシングにおいて、前記第２長手方向同心部材の内側に配置された複数の液体導管をさらに具備することを特徴とする減圧トンネル創ドレッシング。
【請求項１０】
患者のトンネル創または瘻孔を治療するための減圧システムにおいて、
減圧トンネル創ドレッシングであって、
独立気泡発泡体から形成されかつ第１閾値より大きい減圧下で膨張するように動作可能な長手方向コア部材と、
マニホールド材料から形成された第１長手方向同心部材であって、前記長手方向コア部材の周囲に同心状に配置され、前記第１閾値より大きい減圧下で圧縮されるように動作可能な第１長手方向同心部材と、
を備える減圧トンネル創ドレッシングと、
前記減圧トンネル創ドレッシングの上に封止空間を形成するように患者の皮膚の一部を覆うドレープと、
前記減圧トンネル創ドレッシングに流体結合された減圧源と、
を具備することを特徴とするシステム。
【請求項１１】
請求項１０に記載のシステムにおいて、前記減圧トンネル創ドレッシングが、複数の穴を有する非粘着性材料から形成された第２長手方向同心部材をさらに備え、前記第２長手方向同心部材が、前記第１長手方向同心部材の周囲に同心状に配置され、かつさらに前記第１長手方向同心部材の遠位端を覆っていることを特徴とするシステム。
【請求項１２】
請求項１０または１１に記載のシステムにおいて、前記マニホールド材料が連続気泡発泡体を含むことを特徴とするシステム。
【請求項１３】
請求項１１または１２に記載のシステムにおいて、前記第２長手方向同心部材が小面のある部材を含むことを特徴とするシステム。
【請求項１４】
請求項１０または１１乃至１３の何れか一項に記載のシステムにおいて、前記減圧トンネル創ドレッシングが、その長さの少なくとも一部に横断面を有し、前記長手方向コア部材が、前記横断面面積の４０％から９５％の間を構成し、前記第１長手方向同心部材が、前記横断面面積の５％と６０％との間を構成していることを特徴とするシステム。
【請求項１５】
請求項１０または１１乃至１４の何れか一項に記載のシステムにおいて、前記減圧トンネル創ドレッシングが、前記減圧トンネル創ドレッシングが初期径Ｄ１から第２径Ｄ２になるように、減圧下で膨張するように動作可能であり、Ｄ２が１０１％Ｄ１以上であることを特徴とするシステム。
【請求項１６】
請求項１０または１１乃至１５の何れか一項に記載のシステムにおいて、前記減圧トンネル創ドレッシングが、前記減圧トンネル創ドレッシングが初期径Ｄ１から第２径Ｄ２になるように、減圧下で膨張するように動作可能であり、Ｄ２が１１０％Ｄ１以上であることを特徴とするシステム。
【請求項１７】
請求項１０または１１乃至１６の何れか一項に記載のシステムにおいて、前記減圧トンネル創ドレッシングに追加の剛性を提供する半剛性内部コア部材をさらに具備することを特徴とするシステム。
【請求項１８】
請求項１０または１１乃至１７の何れか一項に記載のシステムにおいて、前記第２長手方向同心部材の内側に配置された複数の液体導管をさらに具備することを特徴とするシステム。
【請求項１９】
減圧トンネル創ドレッシングを製造する方法において、
独立気泡発泡体から長手方向コア部材を押出成形するステップと、
連続気泡発泡体から第１長手方向同心部材を、前記第１長手方向同心部材が前記長手方向コア部材の周囲に形成されるように押出成形するステップと、
前記第１長手方向同心部材の周囲に第２長手方向同心部材をあてがうステップであって、前記第２長手方向同心部材が複数の穴を有する不浸透性材料を含む、ステップと、
を含むことを特徴とする方法。
【請求項２０】
請求項１９に記載の方法において、前記第１長手方向同心部材の周囲に第２長手方向同心部材をあてがう前記ステップが、前記第１長手方向同心部材の周囲の材料をラップ加工することと、ホットメルトを使用して前記材料を結合することとを含むことを特徴とする方法。
【請求項２１】
トンネル創または瘻孔を治療するための減圧トンネル創ドレッシングにおいて、
マニホールド材料から形成され、かつ第１閾値より大きい減圧下で圧縮されるように動作可能な長手方向コア部材と、
独立気泡発泡体から形成された第１長手方向同心部材であって、前記長手方向コア部材の周囲に同心状に配置され、前記第１閾値より大きい減圧下で膨張するように動作可能な第１長手方向同心部材と、
前記長手方向コア部材および第２長手方向同心部材を流体結合する複数の流体導管と、
を具備することを特徴とする減圧トンネル創ドレッシング。
【請求項２２】
請求項２１に記載の減圧トンネル創ドレッシングにおいて、複数の穴を有する非粘着性材料から形成された第２長手方向同心部材をさらに具備し、前記第２長手方向同心部材が、前記第１長手方向同心部材の周囲に同心状に配置され、かつさらに前記第１長手方向同心部材の遠位端を覆っていることを特徴とする減圧トンネル創ドレッシング。
【請求項２３】
トンネル創または瘻孔を治療するための減圧トンネル創ドレッシングにおいて、
気体が充填される円柱状シェルブラダであって、外面、近位端および遠位端を有する円柱状シェルブラダと、
前記円柱状シェルブラダの前記外面を覆う連続気泡発泡体層と、
を具備し、
前記円柱状シェルブラダの前記遠位端が、前記円柱状シェルブラダ内に折り返されて、減圧に晒されると広がるように動作可能な部分を形成することを特徴とする減圧トンネル創ドレッシング。
【請求項２４】
トンネル創または瘻孔を治療するための減圧トンネル創ドレッシングにおいて、
減圧下で膨張するように適合された、独立気泡発泡体から形成された長手方向コア部材と、
マニホールド材料から形成された第１長手方向同心部材であって、前記長手方向コア部材の周囲に同心状に配置されている第１長手方向同心部材と、
を具備することを特徴とする減圧トンネル創ドレッシング。
【請求項２５】
請求項２４に記載の減圧トンネル創ドレッシングにおいて、複数の穴を有する非粘着性材料から形成された第２長手方向同心部材をさらに具備し、前記第２長手方向同心部材が、前記第１長手方向同心部材の周囲に同心状に配置され、かつさらに前記第１長手方向同心部材の遠位端を覆っていることを特徴とする減圧トンネル創ドレッシング。
【請求項２６】
請求項２４または２５に記載の減圧トンネル創ドレッシングにおいて、前記マニホールド材料が連続気泡発泡体を含むことを特徴とする減圧トンネル創ドレッシング。
【請求項２７】
請求項２４乃至２６の何れか一項に記載の減圧トンネル創ドレッシングにおいて、前記第２長手方向同心部材が小面のある部材を含むことを特徴とする減圧トンネル創ドレッシング。
【請求項２８】
請求項２４乃至２７の何れか一項に記載の減圧トンネル創ドレッシングにおいて、前記減圧トンネル創ドレッシングが、その長さの少なくとも一部に横断面を有し、前記長手方向コア部材が、前記横断面面積の約４０％から約９５％の間を構成し、前記第１長手方向同心部材が、前記横断面面積の約５％と約６０％との間を構成していることを特徴とする減圧トンネル創ドレッシング。
【請求項２９】
請求項２４乃至２８の何れか一項に記載の減圧トンネル創ドレッシングにおいて、前記減圧トンネル創ドレッシングが初期径Ｄ１から第２径Ｄ２になるように、減圧下で膨張するように動作可能であり、Ｄ２が１０１％Ｄ１以上であることを特徴とする減圧トンネル創ドレッシング。
【請求項３０】
請求項２４乃至２８の何れか一項に記載の減圧トンネル創ドレッシングにおいて、前記減圧トンネル創ドレッシングが初期径Ｄ１から第２径Ｄ２になるように、減圧下で膨張するように動作可能であり、Ｄ２が１０５％Ｄ１以上であることを特徴とする減圧トンネル創ドレッシング。
【請求項３１】
請求項２４乃至３０の何れか一項に記載の減圧トンネル創ドレッシングにおいて、前記減圧トンネル創ドレッシングに追加の剛性を提供する半剛性内部コア部材をさらに具備することを特徴とする減圧トンネル創ドレッシング。
【請求項３２】
請求項２４乃至３１の何れか一項に記載の減圧トンネル創ドレッシングにおいて、前記第２長手方向同心部材の内側に配置された複数の液体導管をさらに具備することを特徴とする減圧トンネル創ドレッシング。
【請求項３３】
トンネル創または瘻孔を治療するための減圧トンネル創ドレッシングにおいて、
マニホールド材料から形成されかつ第１閾値より大きい減圧下で圧縮されるように動作可能な長手方向コア部材と、
独立気泡発泡体から形成された第１長手方向同心部材であって、前記長手方向コア部材の周囲に同心状に配置され、前記第１閾値より大きい減圧下で膨張するように動作可能な第１長手方向同心部材と、
前記長手方向コア部材に流体結合された、前記第１長手方向同心部材の複数の流体導管と、
を具備することを特徴とする減圧トンネル創ドレッシング。
【請求項３４】
請求項３３に記載の減圧トンネル創ドレッシングにおいて、第２長手方向同心部材をさらに具備し、前記第２長手方向同心部材が、前記第１長手方向同心部材の周囲に同心状に配置され、かつさらに前記第１長手方向同心部材の遠位端を覆っており、前記流体導管が、前記第２長手方向同心部材に流体結合されていることを特徴とする減圧トンネル創ドレッシング。
【請求項３５】
請求項３４に記載の減圧トンネル創ドレッシングにおいて、前記第２長手方向同心部材が、複数の穴を有する非粘着性材料から形成されていることを特徴とする減圧トンネル創ドレッシング。
【請求項３６】
請求項３３乃至３５の何れか一項に記載の減圧トンネル創ドレッシングにおいて、前記減圧トンネル創ドレッシングが初期径Ｄ１から第２径Ｄ２になるように、減圧下で膨張するように動作可能であり、Ｄ２が１０１％Ｄ１以上であることを特徴とする減圧トンネル創ドレッシング。
【請求項３７】
トンネル創または瘻孔を治療するための減圧トンネル創ドレッシングにおいて、
気体が充填される円柱状シェルブラダであって、外面、近位端および遠位端を有する円柱状シェルブラダと、
前記円柱状シェルブラダの前記外面を覆う連続気泡発泡体層と、
を具備し、
前記円柱状シェルブラダの前記遠位端が、前記円柱状シェルブラダ内に折り返されて、減圧に晒されると広がるように動作可能な部分を形成する
ことを特徴とする減圧トンネル創ドレッシング。
【請求項３８】
患者のトンネル創または瘻孔を治療するための減圧システムにおいて、
請求項２４乃至３７の何れか一項に記載の減圧トンネル創ドレッシングと、
患者の皮膚の一部を覆って、前記減圧トンネル創ドレッシングの上に封止空間を形成するドレープと、
前記減圧トンネル創ドレッシングに流体結合された減圧源と、
を具備することを特徴とする減圧システム。